(57)【要約】【課題】閲覧者が閲覧する必要がある文章だけを表示することができるようにする。【解決手段】文書構造解析部１２により抽出された文章毎に、文章内容を表す属性を設定する属性設定部１３と、文書を閲覧する閲覧者の閲覧状況を示す閲覧情報を入力する閲覧情報入力部１４とを設け、文章切替部１５が、属性設定部１３により属性が設定されている文章の中から、閲覧情報入力部１４により入力された閲覧情報が示す閲覧状況に見合う文章内容を表す属性が設定されている文章を選択し、文章表示処理部１６が文章切替部１５により選択された文章を表示する。【選択図】図１
2015176440.tif 000002
【特許請求の範囲】
【請求項１】
構造化されている文書を記録している文書ファイルを読み込む文書ファイル読込手段と、
前記文書ファイル読込手段により読み込まれた文書ファイルに記録されている文書の構造を解析して、前記文書の構成要素である文章を抽出する文書構造解析手段と、
前記文書構造解析手段により抽出された文章毎に、文章内容を表す属性を設定する属性設定手段と、
前記文書を閲覧する閲覧者の閲覧状況を示す閲覧情報を入力する閲覧情報入力手段と、
前記属性設定手段により属性が設定されている文章の中から、前記閲覧情報入力手段により入力された閲覧情報が示す閲覧状況に見合う文章内容を表す属性が設定されている文章を選択し、その選択した文章を表示する文章表示手段と
を備えた文書表示装置。
【請求項２】
前記属性設定手段は、前記文書構造解析手段により抽出された文章の内容を判別する際に用いる判別ルールを記述している辞書を備えており、前記辞書に記述されている判別ルールを用いて、前記文章の内容を判別し、前記内容を表す属性を当該文章に設定することを特徴とする請求項１記載の文書表示装置。
【請求項３】
前記属性設定手段は、作業手順を説明している文章に付されている段落番号の表現形式が判別ルールとして前記辞書に記述されている場合、前記文書構造解析手段により抽出された文章のうち、前記表現形式で段落番号が付されている文章に対して、文章内容が作業手順であることを表す属性を設定することを特徴とする請求項２記載の文書表示装置。
【請求項４】
前記属性設定手段は、作業を補足説明している文章に付されている記号が判別ルールとして前記辞書に記述されている場合、前記文書構造解析手段により抽出された文章のうち、前記記号が付されている文章に対して、文章内容が作業の補足説明であることを表す属性を設定することを特徴とする請求項２記載の文書表示装置。
【請求項５】
前記属性設定手段は、キーワードが判別ルールとして前記辞書に記述されている場合、前記文書構造解析手段により抽出された文章のうち、前記キーワードを含んでいる文章に対して、前記キーワードを含んでいる文章であることを表す属性を設定することを特徴とする請求項２記載の文書表示装置。
【請求項６】
前記属性設定手段は、前記文章内容を表す属性の設定を受け付けるマンマシンインタフェースを備えていることを特徴とする請求項１記載の文書表示装置。
【請求項７】
前記閲覧情報入力手段は、前記閲覧者を監視する監視手段から、前記閲覧者の閲覧状況を示す閲覧情報を入力することを特徴とする請求項１から請求項６のうちのいずれか１項記載の文書表示装置。
【請求項８】
前記閲覧情報入力手段は、前記監視手段から前記閲覧者の閲覧状況を示す閲覧情報として、前記閲覧者が実施している作業の内容又は作業場所を示す情報を入力し、
前記文章表示手段は、前記属性設定手段により属性が設定されている文章の中から、前記閲覧者が実施している作業の内容又は作業場所に見合う文章内容を表す属性が設定されている文章を選択することを特徴とする請求項７記載の文書表示装置。
【請求項９】
前記閲覧情報入力手段は、前記閲覧者の閲覧状況を示す閲覧情報として、前記閲覧者が属するカテゴリを示す情報を入力し、
前記文章表示手段は、前記閲覧者が属するカテゴリに見合う文章内容を表す属性が設定されている文章を選択することを特徴とする請求項１記載の文書表示装置。
【請求項１０】
構造化されている文書を記録している文書ファイルを読み込む文書ファイル読込手段と、
前記文書ファイル読込手段により読み込まれた文書ファイルに記録されている文書の構造を解析して、前記文書の構成要素である文章を抽出する文書構造解析手段と、
前記文書構造解析手段により抽出された文章毎に、文章内容を表す属性を設定する属性設定手段と、
前記属性設定手段により属性が設定されている文章に対する表示制御情報として、当該属性が設定されている文章の表示可否を示す表示可否情報を記録しているテンプレートの設定を前記文書の閲覧者単位に受け付けるテンプレート設定受付手段と、
前記文書を閲覧する閲覧者を示すユーザ情報を入力するユーザ情報入力手段と、
前記テンプレート設定受付手段により設定が受け付けられている閲覧者単位のテンプレートの中から、前記ユーザ情報入力手段により入力されたユーザ情報が示す閲覧者に対応するテンプレートを選択するテンプレート選択手段と、
前記テンプレート選択手段により選択されたテンプレートに記録されている表示可否情報を参照して、文章表示が可である属性を特定し、前記属性設定手段により属性が設定されている文章の中から、前記文章表示が可である属性が設定されている文章を選択して、その選択した文章を表示する文章表示手段と
を備えた文書表示装置。
【請求項１１】
前記文章表示手段は、前記属性設定手段により属性が設定されている文章に対する表示制御情報として、当該属性が設定されている文章の表示形式を示す表示形式情報が前記テンプレートに記録されている場合、前記表示形式情報を参照して、前記選択した文章の表示形式を特定し、前記選択した文章を前記表示形式で表示することを特徴とする請求項１０記載の文書表示装置。
【請求項１２】
構造化されている文書を記録している文書ファイルを読み込む文書ファイル読込手段と、
前記文書ファイル読込手段により読み込まれた文書ファイルに記録されている文書の構造を解析して、前記文書の構成要素である文章を抽出する文書構造解析手段と、
前記文書構造解析手段により抽出された文章毎に、表示の可否の設定を受け付ける表示可否設定受付手段と、
前記文書構造解析手段により抽出された文章の中から、前記表示可否設定受付手段により表示可の設定が受け付けられている文章を選択し、その選択した文章を表示する文章表示手段と
を備えた文書表示装置。
【請求項１３】
前記文章表示手段は、表示内容を切り替える操作を受け付けるマンマシンインタフェースを備えており、前記マンマシンインタフェースによって受け付けられた操作にしたがって表示中の文章を切り替えることを特徴とする請求項１から請求項１２のうちのいずれか１項記載の文書表示装置。
【請求項１４】
構造化されている文書を表示するコンピュータの処理内容を記述している文書表示プログラムであって、
構造化されている文書を記録している文書ファイルの読み込みを実行する文書ファイル読込処理手順と、
前記文書ファイル読込処理手順を実行することで読み込まれた文書ファイルに記録されている文書の構造を解析して、前記文書の構成要素である文章の抽出を実行する文書構造解析処理手順と、
前記文書構造解析処理手順を実行することで抽出された文章毎に、文章内容を表す属性の設定を実行する属性設定処理手順と、
前記文書を閲覧する閲覧者の閲覧状況を示す閲覧情報の入力を実行する閲覧情報入力処理手順と、
前記属性設定処理手順を実行することで属性が設定されている文章の中から、前記閲覧情報入力処理手順を実行することで入力された閲覧情報が示す閲覧状況に見合う文章内容を表す属性が設定されている文章を選択し、その選択した文章の表示を実行する文章表示処理手順とが記述されている文書表示プログラム。
【請求項１５】
構造化されている文書を表示するコンピュータの処理内容を記述している文書表示プログラムであって、
構造化されている文書を記録している文書ファイルの読み込みを実行する文書ファイル読込処理手順と、
前記文書ファイル読込処理手順を実行することで読み込まれた文書ファイルに記録されている文書の構造を解析して、前記文書の構成要素である文章の抽出を実行する文書構造解析処理手順と、
前記文書構造解析処理手順を実行することで抽出された文章毎に、文章内容を表す属性の設定を実行する属性設定処理手順と、
前記属性設定処理手順を実行することで属性が設定されている文章に対する表示制御情報として、当該属性が設定されている文章の表示可否を示す表示可否情報を記録しているテンプレートの設定を前記文書の閲覧者単位に受け付けるテンプレート設定受付処理手順と、
前記文書を閲覧する閲覧者を示すユーザ情報の入力を実行するユーザ情報入力処理手順と、
前記テンプレート設定受付処理手順を実行することで設定が受け付けられている閲覧者単位のテンプレートの中から、前記ユーザ情報入力処理手順を実行することで入力されたユーザ情報が示す閲覧者に対応するテンプレートを選択するテンプレート選択処理手順と、
前記テンプレート選択処理手順を実行することで選択されたテンプレートに記録されている表示可否情報を参照して、文章表示が可である属性を特定し、前記属性設定処理手順を実行することで属性が設定されている文章の中から、前記文章表示が可である属性が設定されている文章を選択して、その選択した文章を表示する文章表示処理手順とが記述されている文書表示プログラム。
【請求項１６】
構造化されている文書を表示するコンピュータの処理内容を記述している文書表示プログラムであって、
構造化されている文書を記録している文書ファイルの読み込みを実行する文書ファイル読込処理手順と、
前記文書ファイル読込処理手順を実行することで読み込まれた文書ファイルに記録されている文書の構造を解析して、前記文書の構成要素である文章の抽出を実行する文書構造解析処理手順と、
前記文書構造解析処理手順を実行することで抽出された文章毎に、表示の可否の設定を受け付ける表示可否設定受付処理手順と、
前記文書構造解析処理手順を実行することで抽出された文章の中から、前記表示可否設定受付処理手順を実行することで表示可の設定が受け付けられている文章を選択し、その選択した文章を表示する文章表示処理手順とが記述されている文書表示プログラム。
【発明の詳細な説明】
【技術分野】
【０００１】
この発明は、構造化されている文書を表示する文書表示装置及び文書表示プログラムに関するものである。
【背景技術】
【０００２】
例えば、製品の製造や保守現場では、作業手順書などのマニュアルを例えばＷｏｒｄのような文章作成ソフトで作成することが多い（ＷｏｒｄはＭｉｃｒｏｓｏｆｔ社が販売している文章作成ソフト）。
しかし、作業手順書などのマニュアルを表示する一般的な文書表示装置では、閲覧者の技能レベル、役職、所属などが異なる場合や、閲覧状況（例えば、閲覧者の作業内容、作業場所（閲覧場所）など）が異なる場合でも、同じ情報しか表示することができないため、必要な情報だけを閲覧することは困難である。
【０００３】
一方、閲覧者の役割や技能レベルに応じて複数の作業手順書を用意していれば、閲覧者の技能レベル等に対応する作業手順書を表示することができるが、作業手順が変更されたような場合には、複数の作業手順書を修正しなければならず、文書を管理する手間が膨大になる。
例えば、以下の特許文献１には、文書の構成要素毎に、ユーザのレベルに応じた複数の要素内容を作成しておき、指定されたレベルに対応する要素内容を表示する文書表示装置が開示されている。
【先行技術文献】
【特許文献】
【０００４】
【特許文献１】特開平４−３３６３７４号公報（段落番号［００１２］）
【発明の概要】
【発明が解決しようとする課題】
【０００５】
従来の文書表示装置は以上のように構成されているので、ユーザのレベルに対応する要素内容を表示することができるが、閲覧者の閲覧状況に応じて表示内容を切り替えるものではない。このため、例えば、複数の作業工程を経て製品を製造する場合、どの作業工程で作業手順書を閲覧しても、同じ作業手順書（例えば、全ての作業工程の作業手順を記述している作業手順書）が表示されるだけであり、ユーザが必要としている情報（例えば、現在行っている作業工程での作業手順書）だけを表示することができず、必要な情報を効率的に閲覧することができない課題があった。
【０００６】
この発明は上記のような課題を解決するためになされたもので、閲覧者が閲覧する必要がある文章だけを表示することができる文書表示装置及び文書表示プログラムを得ることを目的とする。
【課題を解決するための手段】
【０００７】
この発明に係る文書表示装置は、構造化されている文書を記録している文書ファイルを読み込む文書ファイル読込手段と、文書ファイル読込手段により読み込まれた文書ファイルに記録されている文書の構造を解析して、文書の構成要素である文章を抽出する文書構造解析手段と、文書構造解析手段により抽出された文章毎に、文章内容を表す属性を設定する属性設定手段と、文書を閲覧する閲覧者の閲覧状況を示す閲覧情報を入力する閲覧情報入力手段とを設け、文章表示手段が、属性設定手段により属性が設定されている文章の中から、閲覧情報入力手段により入力された閲覧情報が示す閲覧状況に見合う文章内容を表す属性が設定されている文章を選択し、その選択した文章を表示するようにしたものである。
【発明の効果】
【０００８】
この発明によれば、構造化されている文書を記録している文書ファイルを読み込む文書ファイル読込手段と、文書ファイル読込手段により読み込まれた文書ファイルに記録されている文書の構造を解析して、文書の構成要素である文章を抽出する文書構造解析手段と、文書構造解析手段により抽出された文章毎に、文章内容を表す属性を設定する属性設定手段と、文書を閲覧する閲覧者の閲覧状況を示す閲覧情報を入力する閲覧情報入力手段とを設け、文章表示手段が、属性設定手段により属性が設定されている文章の中から、閲覧情報入力手段により入力された閲覧情報が示す閲覧状況に見合う文章内容を表す属性が設定されている文章を選択し、その選択した文章を表示するように構成したので、閲覧者が閲覧する必要がある文章だけを表示することができる効果がある。
【図面の簡単な説明】
【０００９】
【図１】この発明の実施の形態１による文書表示装置を示す構成図である。
【図２】文書表示装置を構成するコンピュータのハードウェア構成図である。
【図３】この発明の実施の形態１による文書表示装置の処理内容を示すフローチャートである。
【図４】予め設定されているフォーマットで作成された作業手順書などの文書の一例を示す説明図である。
【図５】辞書に記述されている判別ルールの一例を示す説明図である。
【図６】この発明の実施の形態５による文書表示装置を示す構成図である。
【図７】この発明の実施の形態６による文書表示装置を示す構成図である。
【図８】チェックボックス付きリストの一例を示す説明図である。
【発明を実施するための形態】
【００１０】
実施の形態１．
図１はこの発明の実施の形態１による文書表示装置を示す構成図である。
図１において、オーサリング装置１は例えばＷｏｒｄなどの構造化されている文書を作成することが可能な文章作成ソフトを実装しているパソコンなどが該当する。
オーサリング装置１は構造化されている文書を記録している文書ファイルを文書表示装置３に出力する入出力インタフェースを備えている。
入力機器２は文書を閲覧する閲覧者を監視するカメラ、センサやＧＰＳなどの監視手段であり、文書を閲覧する閲覧者の閲覧状況（例えば、閲覧者の作業内容、作業場所（閲覧場所）など）を示す閲覧情報を文書表示装置３に出力する入出力インタフェースを備えている。
なお、入力機器２の具体例としては、上記のカメラ、センサやＧＰＳの他に、作業者の視点映像や視線情報から作業状況を推測することが可能なウェアラブルカメラや視線解析装置、作業対象の製品を示すコードを読み取り、作業対象製品を特定することが可能なバーコードリーダーやＱＲコードリーダー（ＱＲコードは、登録商標：以下記載を省略する）、工具の傾きや工具に加えられた圧力などをＰＣに無線で送付して作業状況を推測することが可能なＢｌｕｅｔｏｏｔｈ（登録商標：以下記載を省略する）（デジタル機器用の近距離無線通信規格）対応の工具（レンチ・ドライバー）、ユーザによる閲覧状況の入力を受け付けるマンマシンインタフェース（例えば、ユーザが操作可能なキーボードやマウスなど）などが考えられる。
【００１１】
文書表示装置３は構造化されている文書を表示する表示端末である。
文書ファイル読込部１１はオーサリング装置１に対する入出力インタフェース（例えば、文書表示装置３がオーサリング装置１とＬＡＮで接続されている場合にはＬＡＮアダプタなどのネットワーク機器が該当する）を備えており、オーサリング装置１から出力された文書ファイルを読み込む処理を実施する。なお、文書ファイル読込部１１は文書ファイル読込手段を構成している。
【００１２】
文書構造解析部１２は例えばＣＰＵを実装している半導体集積回路、あるいは、ワンチップマイコンなどから構成されており、文書ファイル読込部１１により読み込まれた文書ファイルに記録されている文書の構造を解析して、文書の構成要素として、その文書を構成している文章を抽出する処理を実施する。なお、文書構造解析部１２は文書構造解析手段を構成している。
【００１３】
属性設定部１３は例えばＣＰＵを実装している半導体集積回路、あるいは、ワンチップマイコンなどから構成されており、文書構造解析部１２により抽出された文章毎に、文章内容を表す属性を設定する処理を実施する。
即ち、属性設定部１３は文書を構成している文章の内容を判別する際に用いる判別ルールを記述している辞書を備えており、その辞書に記述されている判別ルールを用いて、文書構造解析部１２により抽出された文章の内容を判別し、その内容を表す属性を当該文章に設定する処理を実施する。なお、属性設定部１３は属性設定手段を構成している。
【００１４】
閲覧情報入力部１４は入力機器２に対する入出力インタフェース（例えば、文書表示装置３が入力機器２とＬＡＮで接続されている場合にはＬＡＮアダプタなどのネットワーク機器が該当する）を備えており、入力機器２から出力された閲覧者の閲覧状況を示す閲覧情報を入力する処理を実施する。なお、閲覧情報入力部１４は閲覧情報入力手段を構成している。
【００１５】
文章切替部１５は例えばＣＰＵを実装している半導体集積回路、あるいは、ワンチップマイコンなどから構成されており、属性設定部１３により属性が設定されている文章の中から、閲覧情報入力部１４により入力された閲覧情報が示す閲覧状況に見合う文章内容を表す属性が設定されている文章を選択する処理を実施する。
文章表示処理部１６は例えばＧＰＵ（Ｇｒａｐｈｉｃｓ  Ｐｒｏｃｅｓｓｉｎｇ  Ｕｎｉｔ）や、液晶ディスプレイ又はヘッドマウントディスプレイなどから構成されており、文章切替部１５により選択された文章を表示する処理を実施する。
なお、文章切替部１５及び文章表示処理部１６から文章表示手段が構成されている。
【００１６】
図１の例では、文書表示装置の構成要素である文書ファイル読込部１１、文書構造解析部１２、属性設定部１３、閲覧情報入力部１４、文章切替部１５及び文章表示処理部１６のそれぞれが専用のハードウェアで構成されているものを想定しているが、文書表示装置が図２に示すようなコンピュータ（例えば、パソコン、タブレット端末など）で構成されていてもよい。
文書表示装置をコンピュータで構成する場合、文書ファイル読込部１１、文書構造解析部１２、属性設定部１３、閲覧情報入力部１４、文章切替部１５及び文章表示処理部１６の処理内容を記述している文書表示プログラムをコンピュータのＲＯＭ１０４に格納し、あるいは、ＣＤ−ＲＯＭ駆動装置１０５がＣＤ−ＲＯＭに記録されている上記文書表示プログラムを読み出してハードディスク１０２にインストールし、当該コンピュータのＣＰＵ１０１がＲＯＭ１０４又はハードディスク１０２に格納されている文書表示プログラムを実行するようにすればよい。なお、ＲＡＭ１０３は文書ファイル等を一時的に格納する際に利用される。
図３はこの発明の実施の形態１による文書表示装置の処理内容を示すフローチャートである。
【００１７】
次に動作について説明する。
オーサリング装置１では、Ｗｏｒｄなどの文章作成ソフトを用いて、構造化されている文書が作成され、その文書を記録している文書ファイルが文書表示装置３に出力される。
例えば、構造化文書の作成が可能な文章作成ソフトであるＷｏｒｄでは、ＯｆｆｉｃｅオープンＸＭＬ形式を採用しており、ＸＭＬ（Ｅｘｔｅｎｓｉｂｌｅ  Ｍａｒｋｕｐ  Ｌａｎｇｕａｇｅ）は、文書やデータの意味や構造を記述するためのマークアップ言語の一つである。
したがって、Ｗｏｒｄで作成された文書は、ＸＭＬで記述されている文書群と画像などが一つのファイルに集成された構造になっている。
このため、文書内の構成要素（例えば、ドキュメント プロパティ、スタイル シート、グラフ、ハイパーリンク、図表、画像など）を簡単に解析することが可能である。
【００１８】
この実施の形態１では、作業手順書などの文書が、予め設定されているフォーマットで作成されるものとする。
図４は予め設定されているフォーマットで作成された作業手順書などの文書の一例を示す説明図である。
図４の例では、文書が章立てになっており、第１章が作業工程（１）の作業内容を示す文章、第２章が作業工程（２）の作業内容を示す文章、第３章が作業工程（３）の作業内容を示す文章、第４章が作業内容の概略を示す文章になっている。
また、第１章において、段落番号が○数字で記載されている文章は、作業手順を記述している文章であり、「※」の記号が先頭に付されている文章は、作業の補足説明を記述している文章である。
【００１９】
文書表示装置３の文書ファイル読込部１１は、オーサリング装置１から出力された文書ファイルを読み込み、その文書ファイルを文書構造解析部１２に出力する（図３のステップＳＴ１）。
文書構造解析部１２は、文書ファイル読込部１１から文書ファイルを受けると、その文書ファイルに記録されている文書の構造を解析し（例えば、文書の段落や見出しなどを解析する）、文書の構成要素として、その文書を構成している文章を抽出する（ステップＳＴ２）。
オーサリング装置１で作成された文書は、上述したように、ＸＭＬなどのマークアップ言語で記述されているため、文書の構造を簡単に解析することができる。文書の構造を解析する処理自体は公知の技術であるため詳細な説明を省略する。
【００２０】
属性設定部１３は、文書構造解析部１２が文書の構成要素である文章を抽出すると、文書の構成要素である文章毎に、文章内容を表す属性を設定する（ステップＳＴ３）。
即ち、属性設定部１３は、文書を構成している文章の内容を判別する際に用いる判別ルールを記述している辞書を備えており、その辞書に記述されている判別ルールを用いて、文書を構成している文章の内容を判別し、その内容を表す属性を当該文章に設定する。
図５は辞書に記述されている判別ルールの一例を示す説明図である。
【００２１】
例えば、第１章が作業工程（１）の作業内容を示す文章、第２章が作業工程（２）の作業内容を示す文章、第３章が作業工程（３）の作業内容を示す文章、第４章が作業内容の概略を示す文章であることを明示している判別ルールが辞書に記述されている場合、文書を構成している文章のうち、第１章の文章に対して、文章内容が作業工程（１）の作業内容であることを表す属性を設定し、第２章の文章に対して、文章内容が作業工程（２）の作業内容であることを表す属性を設定し、第３章の文章に対して、文章内容が作業工程（３）の作業内容であることを表す属性を設定する。また、第４章の文章に対して、文章内容が作業内容の概略であることを表す属性を設定する。
【００２２】
また、段落番号が○数字で記載されている文章は、作業手順を記述している文章であることを明示している判別ルールが辞書に記述されている場合、文書を構成している文章のうち、段落番号が○数字で記載されている文章に対して、文章内容が作業手順であることを表す属性を設定する。
図４の例では、第１章において、段落番号が○数字で記載されている文章が記述されているので、これらの文章に対して、文章内容が作業手順であることを表す属性が設定される。
【００２３】
また、「※」の記号が先頭に付されている文章は、作業の補足説明を記述している文章であることを明示している判別ルールが辞書に記述されている場合、文書を構成している文章のうち、「※」の記号が先頭に付されている文章に対して、文章内容が作業の補足説明であることを表す属性を設定する。
図４の例では、第１章において、「※」の記号が先頭に付されている文章が記述されているので、この文章に対して、文章内容が作業の補足説明であることを表す属性が設定される。
【００２４】
ここでは、文章内容が作業手順であることを表す属性や、文章内容が作業の補足説明であることを表す属性が設定される例を示しているが、属性は、何の目的で書かれた文章であるのかや、文章の意図を表すものであればよい。このため、作業手順や補足説明の属性に限るものではなく、例えば、製品を製造する際のポイント、安全上の注意点、事前準備事項、設定値、解説、トラブル対応点、製品や部品の更新情報などを明示する属性であってもよい。
【００２５】
入力機器２は、文書を閲覧する閲覧者を監視するカメラ、センサやＧＰＳなどから構成されており、閲覧者の閲覧状況（例えば、作業内容、作業場所（閲覧場所）など）を示す閲覧情報を文書表示装置３に出力する。
例えば、入力機器２がカメラやセンサなどから構成されている場合、カメラの画像等を解析することで、閲覧者の作業の進捗状況（作業内容）を特定し、作業の進捗状況（作業内容）を文書の閲覧状況を示す閲覧情報として出力する態様が考えられる。
また、入力機器２がＧＰＳや屋内測位器などから構成されている場合、閲覧者の位置（作業場所）を測位し、閲覧者の位置（作業場所）を文書の閲覧状況を示す閲覧情報として出力する態様が考えられる。
ここでは、入力機器２が、カメラ、センサやＧＰＳである例を示したが、上述したように、入力機器２として、ウェアラブルカメラ、視線解析装置、バーコードリーダー、ＱＲコードリーダー、Ｂｌｕｅｔｏｏｔｈ対応の工具や、マンマシンインタフェースなどを用いることができる。
閲覧情報入力部１４は、入力機器２から出力された文書の閲覧状況を示す閲覧情報を入力し、その閲覧情報を文書切替部１５に出力する（ステップＳＴ４）。
【００２６】
文章切替部１５は、閲覧情報入力部１４から閲覧情報を受けると、属性設定部１３により属性が設定されている文章の中から、その閲覧情報が示す閲覧状況に見合う文章内容を表す属性が設定されている文章を選択する（ステップＳＴ５）。
例えば、閲覧情報入力部１４から出力された閲覧情報が示す閲覧状況が、作業の進捗状況（作業内容）を表しており、その作業内容が例えば作業工程（２）に対応するものであれば、属性設定部１３により属性が設定されている文章の中から、文章内容が作業工程（２）の作業内容あることを表す属性が設定されている文章（第２章の文章）を選択する。
【００２７】
また、閲覧情報入力部１４から出力された閲覧情報が示す閲覧状況が、閲覧者の位置（作業場所）を表しており、その作業場所が例えば作業工程（３）を行う場所であれば、属性設定部１３により属性が設定されている文章の中から、文章内容が作業工程（３）の作業内容あることを表す属性が設定されている文章（第３章の文章）を選択する。
また、閲覧者の位置が実際に作業を行う場所ではなく、例えば、新人に作業内容を説明する研修センターなどである場合、作業現場用での実践的な作業内容より簡易に記述されている作業内容の概略を表す属性が設定されている文章（第４章の文章）を選択する。
【００２８】
文章表示処理部１６は、文章切替部１５が、閲覧状況に見合う文章内容を表す属性が設定されている文章を選択すると、その文章を表示する（ステップＳＴ６）。
これにより、作業手順書などの文書における全ての文章ではなく、作業の進捗状況や作業場所に見合う内容の文章だけが表示される。
【００２９】
ここでは、文章切替部１５が、文章内容が作業工程の作業内容であることを表す属性が設定されている文章を選択するものを示したが、段落番号が○数字で記載されている文章は、作業手順を記述している文章であることを明示している判別ルールが辞書に記述されている場合、その選択している作業内容を表す属性が設定されている文章の中から、段落番号が○数字で記載されている文章だけを選択する。
図４の場合、例えば、作業工程（１）の作業内容を表す属性が設定されている文章（第１章の文章）が選択された際には、段落番号が○数字で記載されている文章（作業手順を記述している文章）は選択されるが、「※」の記号が先頭に付されている文章（作業の補足説明を記述している文章）などは選択されない。
これにより、第１章の文章のうち、作業手順を記述している文章だけを表示することができる。
【００３０】
また、「※」の記号が先頭に付されている文章は、作業の補足説明を記述している文章であることを明示している判別ルールが辞書に記述されている場合、先に選択している作業内容を表す属性が設定されている文章の中から、作業の補足説明を記述している文章だけを選択する。
図４の場合、例えば、作業工程（１）の作業内容を表す属性が設定されている文章（第１章の文章）が選択された際には、「※」の記号が先頭に付されている文章（作業の補足説明を記述している文章）は選択されるが、段落番号が○数字で記載されている文章（作業手順を記述している文章）などは選択されない。
これにより、第１章の文章のうち、作業の補足説明を記述している文章だけを表示することができる。
ただし、段落番号が○数字で記載されている文章は、作業手順を記述している文章であることを明示している判別ルールと、「※」の記号が先頭に付されている文章は、作業の補足説明を記述している文章であることを明示している判別ルールとが辞書に記述されている場合には、作業手順を記述している文章が選択されて表示されるとともに、作業の補足説明を記述している文章が選択されて表示される。
【００３１】
以上で明らかなように、この実施の形態１によれば、構造化されている文書を記録している文書ファイルを読み込む文書ファイル読込部１１と、文書ファイル読込部１１により読み込まれた文書ファイルに記録されている文書の構造を解析して、文書の構成要素である文章を抽出する文書構造解析部１２と、文書構造解析部１２により抽出された文章毎に、文章内容を表す属性を設定する属性設定部１３と、閲覧者の閲覧状況を示す閲覧情報を入力する閲覧情報入力部１４とを設け、文章切替部１５が、属性設定部１３により属性が設定されている文章の中から、閲覧情報入力部１４により入力された閲覧情報が示す閲覧状況に見合う文章内容を表す属性が設定されている文章を選択し、文章表示処理部１６が文章切替部１５により選択された文章を表示するように構成したので、閲覧者が閲覧する必要がある文章だけを表示することができるようになり、その結果、必要な情報を効率的に閲覧することができる効果を奏する。
また、例えば、文書をヘッドマウントディスプレイなどの表示領域の狭いデバイスで閲覧する場合でも、限られた領域で必要な情報のみを表示することができる。
また、作業手順等の変更があった場合でも、元の文書を更新するだけでよいため、文書を管理する手間を削減することができる効果を奏する。
【００３２】
実施の形態２．
上記実施の形態１では、属性設定部１３が、文書構造解析部１２により抽出された文章毎に、文章内容を表す属性を設定するものを示したが、キーワードが判別ルールとして辞書に記述されている場合、文書構造解析部１２により抽出された文章のうち、そのキーワードを含んでいる文章に対して、そのキーワードを含んでいる文章であることを表す属性を設定するようにしてもよい。
【００３３】
具体的には、以下の通りである。
ただし、ここでは説明の簡単化のため、段落番号が○数字で記載されている文章は、作業手順を記述している文章であることを明示している判別ルールや、「※」の記号が先頭に付されている文章は、作業の補足説明を記述している文章であることを明示している判別ルールなどが辞書に記述されていないものとする。
【００３４】
属性設定部１３は、文書構造解析部１２が文書の構成要素である文章を抽出すると、上記実施の形態１と同様に、辞書に記述されている判別ルールを用いて、文書構造解析部１２により抽出された文章の内容を判別し、その内容を表す属性を当該文章に設定する。
例えば、第１章が作業工程（１）の作業内容を示す文章、第２章が作業工程（２）の作業内容を示す文章、第３章が作業工程（３）の作業内容を示す文章であることを明示している判別ルールが辞書に記述されている場合、文書を構成している文章のうち、第１章の文章に対して、文章内容が作業工程（１）の作業内容であることを表す属性を設定し、第２章の文章に対して、文章内容が作業工程（２）の作業内容であることを表す属性を設定し、第３章の文章に対して、文章内容が作業工程（３）の作業内容であることを表す属性を設定する。
【００３５】
また、キーワードが判別ルールとして辞書に記述されている場合、文書を構成している文章のうち、そのキーワードを含んでいる文章に対して、そのキーワードを含んでいる文章であることを表す属性を設定する。
例えば、キーワードが「手順」であり、第１章の文章内の第３段落目の文章が「手順」というキーワードを含んでいる場合、第３段落目の文章に対して、「手順」というキーワードを含んでいる文章であることを表す属性を設定する。
【００３６】
文章切替部１５は、閲覧情報入力部１４から閲覧情報を受けると、上記実施の形態１と同様に、属性設定部１３により属性が設定されている文章の中から、その閲覧情報が示す閲覧状況に見合う文章内容を表す属性が設定されている文章を選択する。
例えば、閲覧情報入力部１４から出力された閲覧情報が示す閲覧状況が、作業の進捗状況（作業内容）を表しており、その作業内容が例えば作業工程（１）に対応するものであれば、属性設定部１３により属性が設定されている文章の中から、文章内容が作業工程（１）の作業内容であることを表す属性が設定されている文章（第１章の文章）を選択する。
【００３７】
また、文章切替部１５は、閲覧情報入力部１４から作業の進捗状況（作業内容）を表す閲覧情報の他に、キーワード（例えば、手順）を表す閲覧情報を受けると、先に選択している作業内容を表す属性が設定されている文章（例えば、第１章の文章）に対して、キーワード（例えば、手順）の検索を行う。
例えば、キーワードが「手順」、先に選択している文章が第１章の文章であって、第１章の文章内の第３段落目の文章だけが「手順」というキーワードを含んでいるとすれば、先に選択している第１章の文章の中から、「手順」というキーワードを含んでいる第３段落目の文章だけを選択する。
これにより、第１章の文章のうち、「手順」というキーワードを含んでいる第３段落目の文章だけを表示することができる。
【００３８】
以上で明らかなように、この実施の形態２によれば、属性設定部１３が、キーワードが判別ルールとして辞書に記述されている場合、属性設定部１３により属性が設定されている文章のうち、そのキーワードを含んでいる文章に対して、そのキーワードを含んでいる文章であることを表す属性を設定するように構成したので、文書の閲覧状況に見合う内容の文章として、所定のキーワードを含んでいる文章を選択して表示することができる効果を奏する。
【００３９】
実施の形態３．
上記実施の形態１では、属性設定部１３が、文書構造解析部１２により抽出された文章毎に、文章内容を表す属性を設定するものを示したが、属性設定部１３が、文章内容を表す属性の設定を受け付けるマンマシンインタフェース（例えば、キーボードやマウスなどの入力機器や、ディスプレイなどの出力機器）を備えるようにしてもよい。
【００４０】
具体的には、以下の通りである。
属性設定部１３は、文書構造解析部１２が文書の構成要素である文章を抽出すると、文書の構成要素である文章のリストをディスプレイに一覧表示する。これにより、文書表示装置の管理者等は、文書の構成要素である文章を確認することが可能になる。
文書表示装置の管理者等は、文書の構成要素である文章を確認すると、属性設定部１３が備えているマンマシンインタフェースを操作することで、文書の構成要素である各文章に対して、自己の確認に基づく属性（例えば、文章内容が作業手順であることを表す属性、文章内容が作業の補足説明であることを表す属性など）を任意に設定することができる。
【００４１】
以上で明らかなように、この実施の形態３によれば、属性設定部１３が、文章内容を表す属性の設定を受け付けるマンマシンインタフェースを備えるように構成したので、例えば、辞書に記述されていない判別ルールにしたがって属性を設定することも可能になり、文書表示装置の汎用性を高めることができる効果を奏する。
【００４２】
実施の形態４．
上記実施の形態１では、入力機器２が、文書を閲覧する閲覧者を監視するカメラ、センサやＧＰＳなどから構成されているものを示したが、文書を閲覧する閲覧者が属するカテゴリ（例えば、所属、職務内容、役職など）を記録している社員証等の読み取り機などから構成されている場合、文書の閲覧状況を示す閲覧情報として、閲覧者が属するカテゴリの情報や、入力機器２が設置されている場所の情報などを文書表示装置３に出力するようにしてもよい。
【００４３】
閲覧情報入力部１４は、入力機器２から文書の閲覧状況を示す閲覧情報として、閲覧者が属するカテゴリの情報や、入力機器２が設置されている場所の情報などを入力する。
文章切替部１５は、閲覧情報入力部１４から閲覧情報を受けると、属性設定部１３により属性が設定されている文章の中から、その閲覧情報が示す閲覧状況に見合う文章内容を表す属性が設定されている文章を選択する。
例えば、文書の閲覧状況を示す閲覧情報として、入力機器２が設置されている場所の情報が入力された場合、入力機器２が設置されている場所から文章の作業場所（閲覧場所）を特定し、その作業場所が例えば作業工程（３）を行う場所であれば、属性設定部１３により属性が設定されている文章の中から、文章内容が作業工程（３）の作業内容であることを表す属性が設定されている文章（第３章の文章）を選択する。
【００４４】
また、文書の閲覧状況を示す閲覧情報として、閲覧者が属するカテゴリ（例えば、所属、職務内容、役職など）の情報が入力された場合、閲覧者の所属や職務内容等から、閲覧者がどのような作業を行う者であるかを把握することができる。例えば、閲覧者が作業工程（２）に従事する作業者であれば、属性設定部１３により属性が設定されている文章の中から、文章内容が作業工程（２）の作業内容であることを表す属性が設定されている文章（第２章の文章）を選択する。
文章表示処理部１６は、文章切替部１５が文章を選択すると、上記実施の形態１と同様に、その文章を表示する。
【００４５】
以上で明らかなように、この実施の形態３によれば、閲覧情報入力部１４が、入力機器２から文書の閲覧状況を示す閲覧情報として、閲覧者が属するカテゴリの情報を入力し、文章切替部１５が、閲覧者が属するカテゴリに見合う文章内容を表す属性が設定されている文章を選択するように構成したので、文書を閲覧する閲覧者を監視するカメラ、センサやＧＰＳなどの監視手段が閲覧場所に設置されていない場合でも、社員証等の読み取り機などから構成されている入力機器２が閲覧場所に設置されていれば、上記実施の形態１と同様に、閲覧者が閲覧する必要がある文章だけを表示することができる効果を奏する。
【００４６】
実施の形態５．
図６はこの発明の実施の形態５による文書表示装置を示す構成図であり、図において、図１と同一符号は同一または相当部分を示すので説明を省略する。
テンプレート設定受付部２１はオーサリング装置１に対する入出力インタフェース（例えば、文書表示装置がオーサリング装置１とＬＡＮで接続されている場合にはＬＡＮアダプタなどのネットワーク機器が該当する）を備えており、オーサリング装置１から出力された閲覧者単位のテンプレートの設定を受け付ける処理を実施する。なお、テンプレート設定受付部２１はテンプレート設定受付手段を構成している。
【００４７】
ここで、テンプレートは、属性設定部１３により設定された属性に対する表示制御情報として、当該属性が設定されている文章の表示可否を示す表示可否情報や、当該属性が設定されている文章の表示形式を示す表示形式情報などを記録しているテーブルである。
この実施の形態５では、テンプレート設定受付部２１がオーサリング装置１から出力された閲覧者単位のテンプレートの設定を受け付ける例を説明するが、テンプレート設定受付部２１がマンマシンインタフェース（例えば、キーボードやマウスなどの入力機器や、ディスプレイなどの出力機器）を備え、テンプレート設定受付部２１が、文書表示装置の管理者等の操作を受け付けることで、閲覧者単位のテンプレートを設定するようにしてもよい。
なお、閲覧者単位のテンプレートは、個人単位のテンプレートに限るものではなく、グループ単位のテンプレートであってもよい。グループ単位のテンプレートでは、例えば、研修生が属するグループや部署などでテンプレートを使い分けることができる。
【００４８】
ユーザ情報入力部２２は例えば社員証の記録内容を読み取るカードリーダ、あるいは、社員コードなどを入力するコード入力器などから構成されており、文書を閲覧する閲覧者を示すユーザ情報（閲覧者を特定するユニークな情報）を入力する処理を実施する。なお、ユーザ情報入力部２２はユーザ情報入力手段を構成している。
テンプレート選択部２３は例えばＣＰＵを実装している半導体集積回路、あるいは、ワンチップマイコンなどから構成されており、テンプレート設定受付部２１により設定が受け付けられている閲覧者単位のテンプレートの中から、ユーザ情報入力部２２により入力されたユーザ情報が示す閲覧者に対応するテンプレートを選択する処理を実施する。なお、テンプレート選択部２３はテンプレート選択手段を構成している。
【００４９】
文章切替部２４は例えばＣＰＵを実装している半導体集積回路、あるいは、ワンチップマイコンなどから構成されており、テンプレート選択部２３により選択されたテンプレートに記録されている表示可否情報を参照して、文章表示が可である属性を特定し、属性設定部１３により属性が設定されている文章の中から、前記文章表示が可である属性が設定されている文章を選択する処理を実施する。
文章表示処理部２５は例えばＧＰＵ（Ｇｒａｐｈｉｃｓ  Ｐｒｏｃｅｓｓｉｎｇ  Ｕｎｉｔ）や液晶ディスプレイなどから構成されており、テンプレート選択部２３により選択されたテンプレートに記録されている表示形式情報を参照して、文章切替部２４により選択された文章の表示形式を特定し、その選択した文章を当該表示形式で表示する処理を実施する。
なお、文章切替部２４及び文章表示処理部２５から文章表示手段が構成されている。
【００５０】
図６の例では、文書表示装置の構成要素である文書ファイル読込部１１、文書構造解析部１２、属性設定部１３、テンプレート設定受付部２１、ユーザ情報入力部２２、テンプレート選択部２３、文章切替部２４及び文章表示処理部２５のそれぞれが専用のハードウェアで構成されているものを想定しているが、文書表示装置が図２に示すようなコンピュータ（例えば、パソコン、タブレット端末など）で構成されていてもよい。
文書表示装置をコンピュータで構成する場合、文書ファイル読込部１１、文書構造解析部１２、属性設定部１３、テンプレート設定受付部２１、ユーザ情報入力部２２、テンプレート選択部２３、文章切替部２４及び文章表示処理部２５の処理内容を記述している文書表示プログラムをコンピュータのＲＯＭ１０４に格納し、あるいは、ＣＤ−ＲＯＭ駆動装置１０５がＣＤ−ＲＯＭに記録されている上記文書表示プログラムを読み出してハードディスク１０２にインストールし、当該コンピュータのＣＰＵ１０１がＲＯＭ１０４又はハードディスク１０２に格納されている文書表示プログラムを実行するようにすればよい。
【００５１】
次に動作について説明する。
テンプレート設定受付部２１、ユーザ情報入力部２２、テンプレート選択部２３、文章切替部２４及び文章表示処理部２５以外は、上記実施の形態１と同様であるため、ここでは、テンプレート設定受付部２１、ユーザ情報入力部２２、テンプレート選択部２３、文章切替部２４及び文章表示処理部２５の処理内容だけを説明する。
【００５２】
オーサリング装置１では、上記実施の形態１と同様に、文章作成ソフトを用いて、構造化されている文書が作成され、その文書を記録している文書ファイルが文書表示装置３に出力される。
また、閲覧者単位のテンプレートが作成され、そのテンプレートが文書表示装置３に出力される。
文書構造解析部１２により抽出された文章の全てを閲覧する必要はなく、また、閲覧する必要がある文章が閲覧者毎に異なることは、上記実施の形態１と同様である。そのため、この実施の形態５では、閲覧者単位でテンプレートを作成し、当該閲覧者が閲覧する必要がある文章だけが表示されるように、表示可否を示す表示可否情報を文章の属性に付加している。
また、閲覧者が閲覧する必要がある文章の間でも、重要度等が異なることがあるので、例えば、重要な文章は強調表示するような表示形式を示す表示形式情報を文章の属性に付加している。
【００５３】
文書表示装置３のテンプレート設定受付部２１は、オーサリング装置１から出力された閲覧者単位のテンプレートの設定を受け付け、閲覧者単位のテンプレートを保存する。
ここでは、テンプレート設定受付部２１が、オーサリング装置１から出力された閲覧者単位のテンプレートの設定を受け付けているが、文書表示装置の管理者等の操作を受け付けるマンマシンインタフェースを備え、文書表示装置の管理者等の操作にしたがって閲覧者単位のテンプレートを設定するようにしてもよい。
【００５４】
ユーザ情報入力部２２は、文書を閲覧する閲覧者を示すユーザ情報（閲覧者を特定するユニークな情報）を入力し、そのユーザ情報をテンプレート選択部２３に出力する。
テンプレート選択部２３は、ユーザ情報入力部２２からユーザ情報を受けると、テンプレート設定受付部２１に保存されている閲覧者単位のテンプレートの中から、そのユーザ情報が示す閲覧者に対応するテンプレートを選択する。
【００５５】
文章切替部２４は、テンプレート選択部２３が閲覧者に対応するテンプレートを選択すると、そのテンプレートに記録されている表示可否情報を参照して、文章表示が可である属性を特定する。
文章切替部２４は、文章表示が可である属性を特定すると、属性設定部１３により属性が設定されている文章の中から、前記文章表示が可である属性が設定されている文章を選択する。
文章表示処理部２５は、テンプレート選択部２３により選択されたテンプレートに記録されている表示形式情報を参照して、文章切替部２４により選択された文章の表示形式を特定し、その選択した文章を当該表示形式で表示する。
【００５６】
以上で明らかなように、この実施の形態５によれば、テンプレート設定受付部２１により設定が受け付けられている閲覧者単位のテンプレートの中から、ユーザ情報入力部２２により入力されたユーザ情報が示す閲覧者に対応するテンプレートを選択するテンプレート選択部２３を設け、文章切替部２４が、テンプレート選択部２３により選択されたテンプレートに記録されている表示可否情報を参照して、文章表示が可である属性を特定し、属性設定部１３により属性が設定されている文章の中から、前記文章表示が可である属性が設定されている文章を選択し、文章表示処理部２５が、テンプレート選択部２３により選択されたテンプレートに記録されている表示形式情報を参照して、文章切替部２４により選択された文章の表示形式を特定し、その選択した文章を当該表示形式で表示するように構成したので、閲覧者が閲覧する必要がある文章だけを表示することができるようになり、その結果、必要な情報を効率的に閲覧することができる効果を奏する。
【００５７】
この実施の形態５では、文章表示が可である属性が設定されている文章を選択し、その文章を表示形式情報が示す表示形式（例えば、重要な文章を強調表示する表示形式）で表示するものを示したが、これに限るものではなく、例えば、文章表示が可である属性が設定されている複数の文章を順番にアニメーション表示するような表示形式で表示するようにしてもよい。
【００５８】
実施の形態６．
図７はこの発明の実施の形態６による文書表示装置を示す構成図であり、図において、図１と同一符号は同一または相当部分を示すので説明を省略する。
表示可否設定受付部３１は例えばマンマシンインタフェース（例えば、キーボードやマウスなどの入力機器や、ディスプレイなどの出力機器）を備えており、文書構造解析部１２により抽出された文書の構成要素である文章毎に、表示の可否の設定を受け付ける処理を実施する。なお、表示可否設定受付部３１は表示可否設定受付手段を構成している。
【００５９】
文章切替部３２は例えばＣＰＵを実装している半導体集積回路、あるいは、ワンチップマイコンなどから構成されており、文書構造解析部１２により抽出された文章の中から、表示可否設定受付部３１により表示可の設定が受け付けられた文章を選択する処理を実施する。
文章表示処理部３３は例えばＧＰＵ（Ｇｒａｐｈｉｃｓ  Ｐｒｏｃｅｓｓｉｎｇ  Ｕｎｉｔ）や液晶ディスプレイなどから構成されており、文章切替部３２により選択された文章を表示する処理を実施する。
なお、文章切替部３２及び文章表示処理部３３から文章表示手段が構成されている。
【００６０】
図７の例では、文書表示装置の構成要素である文書ファイル読込部１１、文書構造解析部１２、表示可否設定受付部３１、文章切替部３２及び文章表示処理部３３のそれぞれが専用のハードウェアで構成されているものを想定しているが、文書表示装置が図２に示すようなコンピュータ（例えば、パソコン、タブレット端末など）で構成されていてもよい。
文書表示装置をコンピュータで構成する場合、文書ファイル読込部１１、文書構造解析部１２、表示可否設定受付部３１、文章切替部３２及び文章表示処理部３３の処理内容を記述している文書表示プログラムをコンピュータのＲＯＭ１０４に格納し、あるいは、ＣＤ−ＲＯＭ駆動装置１０５がＣＤ−ＲＯＭに記録されている上記文書表示プログラムを読み出してハードディスク１０２にインストールし、当該コンピュータのＣＰＵ１０１がＲＯＭ１０４又はハードディスク１０２に格納されている文書表示プログラムを実行するようにすればよい。なお、ＲＡＭ１０３は文書ファイル等を一時的に格納する際に利用される。
【００６１】
次に動作について説明する。
表示可否設定受付部３１、文章切替部３２及び文章表示処理部３３以外は、上記実施の形態１と同様であるため、ここでは、表示可否設定受付部３１、文章切替部３２及び文章表示処理部３３の処理内容だけを説明する。
【００６２】
表示可否設定受付部３１は、文書構造解析部１２が文書の構成要素である文章を抽出すると、その文章に含まれている既定の用語（例えば、「手順」、「補足」、「設定値」、「注意点」などの用語）のリストをチェックボックス付きのリストとして生成し、そのリストを表示する。
ここで、図８はチェックボックス付きリストの一例を示す説明図である。
図８では、予め設定されている用語のうち、「手順」、「補足」、「設定値」の用語が文章に含まれている例を示している。
【００６３】
表示可否設定受付部３１は、チェックボックス付きリストを表示すると、各用語に係るチェックボックスに対するチェックを受け付ける。
例えば、閲覧者が作業工程の手順を確認したい場合には、表示可否設定受付部３１を操作して、「手順」に係るチェックボックスに対するチェックを行うようにする。
また、閲覧者が作業の補足説明を確認したい場合には、表示可否設定受付部３１を操作して、「補足」に係るチェックボックスに対するチェックを行うようにする。
【００６４】
文章切替部３２は、表示可否設定受付部３１が、各用語に係るチェックボックスに対するチェックを受け付けると、文書構造解析部１２により抽出された文章の中から、チェックが付けられている用語を含んでいる文章を選択する。
例えば、「手順」に係るチェックボックスにチェックが付けられている場合、「手順」という用語を含んでいる文章を選択する。
文章表示処理部３３は、文章切替部３２により選択された文章を表示する。
【００６５】
以上で明らかなように、この実施の形態６によれば、文章切替部３２が、文書構造解析部１２により抽出された文章の中から、表示可否設定受付部３１により表示可の設定が受け付けられた文章を選択し、文章表示処理部３３が、文章切替部３２により選択された文章を表示するように構成したので、閲覧者が閲覧する必要がある文章だけを表示することができるようになり、その結果、必要な情報を効率的に閲覧することができる効果を奏する。
【００６６】
実施の形態７．
上記実施の形態１〜６では、文章切替部１５，２４，３２が表示対象の文章を選択し、文章表示処理部１６，２５，３３が文章切替部１５，２４，３２により選択された文章を表示するものを示したが、文章切替部１５，２４，３２が表示内容を切り替える操作を受け付けるマンマシンインタフェースを備え、その操作にしたがって表示中の文章を切り替える指示を文章表示処理部１６，２５，３３に出力するようにしてもよい。
【００６７】
具体的には、以下の通りである。
ここでは、属性設定部１３が、文書構造解析部１２により抽出された文章毎に、文章内容を表す属性を設定する際、各属性の間に階層関係を設定するものとする。
例えば、作業内容を表す属性として、「概要」「手順」「解説」などの属性が設定された場合、これらの間に階層関係として、最上階層が「概要」、次の階層が「手順」、最下層が「解説」のように、階層関係が設定される場合を想定する。
【００６８】
文章切替部１５，２４，３２は、上記実施の形態１〜６と同様の方法で、表示対象の文章を選択し、文章表示処理部１６，２５，３３は、文章切替部１５，２４，３２により選択された文章を表示する。
例えば、最上階層である「概要」の属性が設定されている文章を表示しているとき、文章切替部１５，２４，３２が、閲覧者のズームイン操作（表示対象を下の階層の文章に切り替える旨を示す操作）を受け付けると、表示対象の文章を１つ下の階層である「手順」の属性が設定されている文章に切り替える指示を文章表示処理部１６，２５，３３に出力し、文章表示処理部１６，２５，３３が「手順」の属性が設定されている文章を表示する。
【００６９】
また、「手順」の属性が設定されている文章を表示しているとき、文章切替部１５，２４，３２が、閲覧者のズームイン操作を更に受け付けると、表示対象の文章を最下層である「解説」の属性が設定されている文章に切り替える指示を文章表示処理部１６，２５，３３に出力し、文章表示処理部１６，２５，３３が「解説」の属性が設定されている文章を表示する。
一方、「手順」の属性が設定されている文章を表示しているとき、文章切替部１５，２４，３２が、閲覧者のズームアウト操作（表示対象を上の階層の文章に切り替える旨を示す操作）を受け付けると、表示対象の文章を最上階層である「概要」の属性が設定されている文章に切り替える指示を文章表示処理部１６，２５，３３に出力し、文章表示処理部１６，２５，３３が「概要」の属性が設定されている文章を表示する。
【００７０】
ここでは、文章切替部１５，２４，３２が、閲覧者のズームイン操作やズームアウト操作を受け付けて、表示対象の文章を切り替える例を示したが、文章切替部１５，２４，３２が、閲覧者のジェスチャを判別可能なマンマシンインタフェースを備えている場合、閲覧者のジェスチャによって表示対象の文章を切り替えるようにしてもよい。
例えば、「手順」という属性に対して、手のひらをかざすジェスチャが割り当てられており、「補足」という属性に対して、人差し指を立てるジェスチャが割り当てられている場合、文章切替部１５，２４，３２は、閲覧者のジェスチャが、手のひらをかざすジェスチャであれば、「手順」の属性が設定されている文章を表示する指示を文章切替部１５，２４，３２に出力し、文章切替部１５，２４，３２は、「手順」の属性が設定されている文章を表示する。
また、文章切替部１５，２４，３２は、閲覧者のジェスチャが、人差し指を立てるジェスチャであれば、「補足」の属性が設定されている文章を表示する指示を文章切替部１５，２４，３２に出力し、文章切替部１５，２４，３２は、「補足」の属性が設定されている文章を表示する。
【００７１】
また、文章切替部１５，２４，３２が、閲覧者の音声を判別可能なマンマシンインタフェースを備えている場合、閲覧者の音声によって表示対象の文章を切り替えるようにしてもよい。
例えば、文章切替部１５，２４，３２は、閲覧者の音声が「手順」であれば、「手順」の属性が設定されている文章を表示する指示を文章切替部１５，２４，３２に出力し、文章切替部１５，２４，３２は、「手順」の属性が設定されている文章を表示する。
また、文章切替部１５，２４，３２は、閲覧者の音声が「補足」であれば、「補足」の属性が設定されている文章を表示する指示を文章切替部１５，２４，３２に出力し、文章切替部１５，２４，３２は、「補足」の属性が設定されている文章を表示する。
【００７２】
以上で明らかなように、この実施の形態７によれば、文章切替部１５，２４，３２が表示内容を切り替える操作を受け付けるマンマシンインタフェースを備え、その操作にしたがって表示中の文章を切り替える指示を文章表示処理部１６，２５，３３に出力するように構成したので、閲覧者が必要に応じて表示対象の文章を簡単に切り替えることができる効果を奏する。
【００７３】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００７４】
１  オーサリング装置、２  入力機器（監視手段）、３  文書表示装置、１１  文書ファイル読込部（文書ファイル読込手段）、１２  文書構造解析部（文書構造解析手段）、１３  属性設定部（属性設定手段）、１４  閲覧情報入力部（閲覧情報入力手段）、１５  文章切替部（文章表示手段）、１６  文章表示処理部（文章表示手段）、２１  テンプレート設定受付部（テンプレート設定受付手段）、２２  ユーザ情報入力部（ユーザ情報入力手段）、２３  テンプレート選択部（テンプレート選択手段）、２４  文章切替部（文章表示手段）、２５  文章表示処理部（文章表示手段）、３１  表示可否設定受付部（表示可否設定受付手段）、３２  文章切替部（文章表示手段）、３３  文章表示処理部（文章表示手段）、１０１  ＣＰＵ、１０２  ハードディスク、１０３  ＲＡＭ、１０４  ＲＯＭ、１０５  ＣＤ−ＲＯＭ駆動装置。
【図１】
2015176440.tif 000003
【図２】
2015176440.tif 000004
【図３】
2015176440.tif 000005
【図４】
2015176440.tif 000006
【図５】
2015176440.tif 000007
【図６】
2015176440.tif 000008
【図７】
2015176440.tif 000009
【図８】
2015176440.tif 000010